(57)【特許請求の範囲】
【請求項１】
少なくとも１つの毛髪見本（４、５、６）を展示するための装置（１）であって、該装置は非円筒形ドーム形状部（３）を有する支持部材（２）および該装置に固定される少なくとも１つの毛髪見本（４、５、６）を備え、前記少なくとも１つの毛髪見本の少なくとも一部は、ドーム形状部（３）の輪郭に沿うようにその上に配置されることを特徴とする装置（１）。
【請求項２】
該見本（４、５、６）の両端部（７−１２）は、支持部材（２）のドーム形状部（３）の側部に１つずつある２つの領域に固定されることを特徴とする請求項１に記載の装置（１）。
【請求項３】
支持部材のドーム形状部（３）上に並べて配置された少なくとも２つの見本（４，５、６）を備える装置であって、各見本（４、５、６）は、少なくとも１つの領域、各見本の端部の少なくとも２つの領域（７−１２）であらかじめ接着された複数の毛髪を有することを特徴とする請求項１または２に記載の装置（１）。
【請求項４】
少なくとも３つの見本（４、５、６）を有する装置であって、第１の見本（５）は支持部材のドーム形状部（３）の中央領域に配置され、第２および第３の見本（４、６）はそれぞれ第１の見本の側部に配置されることを特徴とする請求項３に記載の装置（１）。
【請求項５】
該見本（４、５、６）は、接着によって、その両端で支持部材（２）に固定されていることを特徴とする請求項１ないし４の何れか１つに記載の装置。
【請求項６】
支持部材（２）上に適合するカバー（１５）を備えた装置であって、該カバーに形成された開口部（１６）は、支持部材のドーム形状部（３）上に配置された見本（４、５、６）がそこから浮き出るような形状であり、その横断面は見本（４、５、６）の少なくとも端部（７−１２）を隠すような形状であることを特徴とする請求項１ないし５の何れか１つに記載の装置（１）。
【請求項７】
前記開口部（１６）の横断面は、支持部材のドーム形状部（３）の横断面とほぼ同一かまたはそれよりも僅かに大きいことを特徴とする請求項６に記載の装置（１）。
【請求項８】
支持部材のドーム形状部（３）と前記開口部（１６）は円形状であり、その直径は５ないし１０ｃｍであることを特徴とする請求項６または７に記載の装置（１）。
【請求項９】
該カバー（１５）は支持部材（２）上にスナップ固定されることを特徴とする請求項６ないし８の何れか１つに記載の装置（１）。
【請求項１０】
支持部材のドーム形状部（３）は実質的に半球状の部材から成ることを特徴とする請求項１ないし９の何れか１つに記載の装置（１）。
【請求項１１】
支持部材（２）のドーム形状部（３）の曲率半径は、成人した人間の頭蓋の平均曲率半径に近いことを特徴とする請求項１ないし１０の何れか１つに記載の装置（１）。
【請求項１２】
該曲率半径は１０ないし２０ｃｍであることを特徴とする請求項１１に記載の装置。
【請求項１３】
複数の当該装置を受け入れるための展示システム（１００）に当該装置（１）を離脱可能に固定するための手段、１つ以上の永久磁石（１３、１４）を有することを特徴とする請求項１ないし１２の何れか１つに記載の装置（１）。
【請求項１４】
前記永久磁石（１３、１４）は支持部材（２）の背後に、接着によって固定されることを特徴とする請求項１３に記載の装置（１）。
【請求項１５】
前記展示装置（１００）から装置の離脱を容易にする手段、ツメまたは切り欠き（１９）を有することを特徴とする請求項１３または１４に記載の装置。
【請求項１６】
前記請求項１ないし１５のいずれか１に記載された装置を用いた第１の色の１つ以上の毛髪見本を有する第１の装置と、前記請求項１ないし１５のいずれか１つに記載された装置を用いた第２の色の１つ以上の毛髪見本を有する第２の装置を備えたことを特徴とする毛髪見本展示システム（１００）。
【請求項１７】
少なくとも一部が磁界に敏感な材料を有する前記第１の装置または第２の装置の少なくとも何れか１つを受け入れる支持部材（１０１）を有することを特徴とする請求項１６に記載の展示システム（１００）。
【請求項１８】
前記第１の装置または第２の装置の少なくとも何れか１つを受け入れる支持部材（１０１）は平坦で、支持部材の中央の水平面に対して突出する支持部材を画定するフレーム（１０２）に接していることを特徴とする請求項１６または１７に記載の展示システム（１００）。
【請求項１９】
第１と第２の装置（１）は少なくとも２つの横列と少なくとも２つの縦列に配置された形状で陳列されることを特徴とする請求項１６ないし１８の何れか１項に記載の展示システム（１００）。
【発明の詳細な説明】
【０００１】
【発明が属する技術分野】
本発明は、販売時にまたは美容室で、毛染め製品の分野の色合いを表わすために用いられるような見本収納装置に関する。
【０００２】
【従来の技術】
着色用製品の分野の色見本は、環状に構成され、例えば台紙などの支持部材上に接着されるのが一般的である。
そういった支持部材では、見本は最適の方法で展示されない。つまり、見本の実際の色および特に輝きを最大限に示すには、その面積および容積が十分でないことがしばしばある。
【０００３】
米国特許第５６４７４８５号には、展示すべき見本を円筒形状の湾曲した表面に広げる見本支持部材が開示されている。その様な見本支持部材はスーパーマーケットや他の毛染め製品の販売店の棚に備え付けるためのものである。しかしながらその様な装置は、色見本全部を、例えば壁に固定された単一の展示システムに配置するのには適しておらず、特に見本支持部材を複数の縦列および横列に並べて提示する場合はなおさらである。
【０００４】
【発明が解決しようとする課題】
従って従来の展示システムに関して上で論じた問題を完全にまたは部分的に解決する見本収納装置を提供することが、本発明の目的である。
【０００５】
特に、消費者が見本の実際の色および特に輝きがどういったものなのかを的確に知ることが可能な見本収納装置を提供することが本発明の目的である。
【０００６】
また従来の展示システムと比較して、経済的に製造でき、および、独自のデザインや外見を有する展示システムに特に離脱可能に取り付けられる見本展示装置を提供することが本発明のさらなる目的である。
【０００７】
本発明のさらなる目的は以下の記載から明白となる。
【０００８】
【課題を解決するための手段】
本発明によるとこれらの目的は、非円筒形ドーム形状部を有する支持部材を備えた、少なくとも１つの毛髪見本を展示する装置を提供することによって達成され、少なくとも１つの毛髪見本は当該装置に固定され、その少なくとも一部は、ドーム形状部（３）の輪郭に沿うようにその上に配置される。
【０００９】
従って、支持部材のドーム形状部、特に半球状キャップ部上で見本を提示することによって、見本が立体的になり、光の照射角とは無関係に光をうまく受けることができるようになる。故に、見本の輝きを正しく認識できるようになる。
【００１０】
このような装置は支持部材のドーム状表面が好ましくは一定曲率となっているために、例えば壁に固定された展示システム上に、（上述の米国特許５６４７４８５号に記載された円筒形支持部材とは異なり）互いに平行していない様々な方向に取り付けた場合、見本の光沢及び容積は展示システムに対面して立っている人、または展示システムの片側に立っている人にうまく認識される。
【００１１】
支持部材は生体組織を除く様々な合成または天然材料から成る。これは例えばプラスチック、金属、木材、ガラス、その他で作られる。
【００１２】
見本は天然または合成毛髪から成る。見本の長さは約７ｃｍから１５ｃｍである。
【００１３】
好ましくは、見本の両端部は、支持部材のドーム形状部の側部に１つずつある２つの領域に固定される。
【００１４】
本発明の有利な特徴によると、当該装置は支持部材のドーム形状部上に並べて配置された、予備成形された少なくとも２つの見本を備え、各見本は、少なくとも１つの領域、好ましくは各見本の端部の少なくとも２つの領域で、特に熱溶着によってあらかじめ接着された複数の毛髪を有する。支持部材のドーム形状部の表面積が相対的に大きい場合、少なくとも２つの見本を上記のように配置することによって、毛髪は前記ドーム形状部の上でより均等に広がる。
【００１５】
好ましくは、当該装置は少なくとも３つの見本を有し、第１の見本は支持部材のドーム形状部の中央領域（最も高い部分）に配置され、第２および第３の見本はそれぞれ第１の見本の側部に配置される。この特徴は、特に支持部材のドーム形状部の表面積および／または曲率半径が相対的に大きい場合、各見本の横方向への広がりがより抑えられ、よって支持部材の可視できるドーム形状部全体の毛髪が十分且つ均一な密度に保たれる点で有利である。これは、中央の見本がドーム状面の頂上部分から両側に極度に分かれてしまい、その位置に見た目の悪い段差ができてしまうことが、中央の見本の両側に見本があることによって防止されるためである。
【００１６】
見本は特に両端部を支持部材上に接着して固定することができる。
【００１７】
好ましい実施例によると、当該装置は支持部材上に適合するカバーを備え、前記カバーに形成された開口部は、支持部材のドーム形状部上に配置された見本がそこから浮き出るような形状であり、その横断面は見本の少なくとも端部を隠すような形状である。この型のカバーは支持部材のドーム形状部上で毛髪が均等に行き渡るように毛髪を保持し、また、見本の露出した部分の輪郭を正確に表す。
【００１８】
好ましくは、前記開口部の横断面は、支持部材のドーム形状部の横断面とほぼ同一かまたはそれよりも僅かに大きい。このようにドーム状支持部材と関連して構成されたカバーは見本を引っ張り、支持部材のドーム形状部の輪郭により適合するように見本に力を加える。
【００１９】
さらに好ましくは、支持部材のドーム形状部および前記開口部は円形であり、その直径は５ないし１０ｃｍであり、好ましくは５．５ないし９ｃｍである。
【００２０】
カバーは支持部材上にスナップ留めすることができる。
【００２１】
好ましくは、支持部材のドーム形状部は実質的に半球状の部材から成る。ドーム形状部の曲率半径は成人した人間の頭蓋の平均曲率半径に近い。
【００２２】
一般にその様な曲率半径は１０ないし２０ｃｍであり、好ましくは１２ないし１８ｃｍである。
【００２３】
特に１つ以上の永久磁石を用いた手段を、上記のような装置を複数受け入れるための展示システムに該装置を脱着可能に固定するために提供しても良い。本発明の実施例による該装置が展示システムから取り外しできることによって、新しい色または色合いを宣伝するための機能として、展示システムの構成を容易に変更することが可能になる。
【００２４】
固定手段は支持部材の背後に、特に接着によって固定されても良い。
【００２５】
有利には、当該装置は、前記展示システムから該装置の離脱を容易にするために、特にツメまたは切り欠き状の手段を有する。展示システムの表面全体に複数の装置が互いに非常に近接して並べられている場合、それらの装置の１つを取り除くために展示システムの表面と支持部材の背後との間に何らかの適切な工具を挿入しようとしても、対象の装置かまたはその隣にある装置を損傷することなく取り除くことが困難である。この特徴は、そういった場合に有利である。
【００２６】
本発明のさらなる特徴によると、第１の色の１つ以上の見本を有する少なくとも１つの本発明による第１の装置と、第２の色および／または色合いの１つ以上の見本を有する少なくとも１つの本発明による第２の装置とを備える毛髪見本の展示システムも提供する。第１と第２の装置は少なくとも２つの横列と少なくとも２つの縦列に配置された形状で陳列される。
【００２７】
好ましくは、展示システムは、少なくとも一部が磁界に敏感な材料、特に金属膜からなる支持部材を有する。
【００２８】
有利には、支持部材は平坦で、支持部材の中央の水平面に対して突出するフレームによって縁取られている。
【００２９】
上記の特徴とは別に、本発明は、添付の図面を参照して説明する非限定的な実施形態に関して以下に記載する特徴を有する。
【００３０】
【発明の実施の形態】
図１に示した展示システム１００はフレーム１０２で画定される長方形の平坦支持部材１０１を有し、詳細を以下に記載する複数の見本支持部材がその上に配置されている。
【００３１】
該展示システム１００は、壁面に固定するかまたは架台に納めるためのものである。好ましくは、展示システムの付近、特にその上方に、十分な光を供給し（図示しない）、各見本支持部材１に支えられている見本を輝かせる。
【００３２】
該平坦支持部材１０１は少なくとも１つの金属膜から成り、故に見本支持部材１は展示システム１００に磁気により離脱可能に貼り付けることができる。
【００３３】
該見本支持部材１は、色別に分けられた複数の横列と、色合いまたは前記色の度合いの順に並んだ複数の縦列に配置される。
【００３４】
図２および３に示した見本支持部材１は、中央にドーム状のキャップ３が形成されている長方形の平板から成る。該キャップ３の曲率半径は１５ｃｍのオーダーである。支持部材のドーム形状部３の半径は８ないし９ｃｍのオーダーである。
【００３５】
平板２は風防ガラス（Ｐｅｒｓｐｅｘ）で製造されている。
【００３６】
平板状で同一色の３つの見本４、５、６は支持部材２のドーム形状部３を覆うように並んで配置される。該見本４、５、６は、各見本の両端部に配置されている２つの熱溶着領域７−１２において、互いに接着されている複数の繊維から形成される。各見本４、５、６の幅は約２５ｍｍである。
【００３７】
図１を参照して記載した展示システム１００に見本支持部材１を固定するために、支持部材２はドーム３とは反対側に、２つの磁化されたストリップ１３、１４を有している。
【００３８】
該見本４、５、６は熱溶接領域７−１２により、ドーム３のいずれかの側で支持部材２に接着されている。故に見本４、５、６を形成する毛髪は、支持部材２のドーム形状部３の表面全体を、均一に且つ比較的密集して覆う。
【００３９】
支持部材２のドーム形状部３に見本４、５、６を接着した後、支持部材２と同一の形状を有し、ドーム３の直径よりやや大きい直径を有する円形窓１６が設けられたカバー１５を支持部材２上に配置する。
【００４０】
該カバー１５は非透明熱可塑材から製造される。
【００４１】
カバー１５はその両側に、端部が該カバー１５を支持部材２上にはめ込むためのビーディングを形成しているリム１７、１８を有している。
【００４２】
カバー１５は、リム１７および１８に対して直角なカバー１５の端部の１つに切り欠き１９を有しており、これにより展示システム１００から見本支持装置１を取り外しやすくなっている。
【００４３】
支持部材２上にカバー１５を取り付けるには、３つの見本４、５、６形成する毛髪の繊維を支持部材２のドーム表面全体に均一に広げた後、該窓１６を支持部材２上のドーム形状部３に重ねて配設する。該リム１７および１８はこのとき支持部材２の対応する端部にはめ込まれる。その様にすることによって、該見本は支持部材２のドーム面３の可視領域全体に均一に広がった状態で固定される。見本４−６の粘着部７−１２は、開口１６を画定するカバーの円形端部の下に隠れる。
【００４４】
カバー１５の前面には、ロゴ、頭文字またはその他宣伝用標識を記すことができる。
【００４５】
各見本支持装置１の平板２の裏には、関連する毛髪色の記号を入れることもできる。
【００４６】
上記の詳細な説明では、本発明の好適な実施例を参照した。請求項に記載した本発明の精神から逸脱することなく、該実施例の変形が可能であることは明らかである。
【図面の簡単な説明】
【図１】  図１は、本発明による複数の見本支持部材を有する、見本展示システムの斜視図である。
【図２】  図２は、本発明の好ましい実施例による見本支持の分解組み立て図である。
【図３】  図３は図２の見本支持部材の断面図である。
【図１】
0003899010.tif 000002
【図２】
0003899010.tif 000003
【図３】
0003899010.tif 000004